(57)【要約】【課題】送風量を向上させ乾燥効率を高める除湿機を提供することを目的とする。【解決手段】本体１内部に吸込口１３から吸気した空気を熱交換器５を冷却するとともに、除湿ローター２に水分を吸着させて吹出口１４から乾燥空気を送出する第２送風ファン８による除湿風路１１に加え、熱交換器５と除湿ローター２を通らずに吸込口１３から吸引した室内空気を吹出口１４へと送出する第３送風ファン９による通風抵抗の少ない送風風路１２を設けることで、送風量を増加させることができ、乾燥効率を高めることができる。【選択図】図１
2008259964.tif 000002
【特許請求の範囲】
【請求項１】
本体内部に設けた空気中の水分を吸着する円板状の除湿ローターと、この除湿ローターを回転させる駆動手段と、前記除湿ローターから水分を放出させる発熱手段と、この発熱手段により前記除湿ローターから放出された高温高湿空気を結露させる熱交換器と、前記熱交換器内を通過した高温高湿空気を上記発熱手段に戻す接続部と、前記発熱手段、除湿ローター、熱交換器、接続部の順序に通過する空気を閉循環させる第１送風ファンによる閉循環風路と、吸込口から吸入した室内空気により前記熱交換器を冷却するとともに前記除湿ローターに水分を吸着させて吹出口から乾燥空気を送出する第２送風ファンによる除湿風路と、前記吸込口から吸引した室内空気を、前記熱交換器と前記除湿ローターを通さずに、前記吹出口を通して送出する第３送風ファンによる送風風路を有してなる除湿機。
【請求項２】
本体の吹出口に除湿風路の吹出風と送風風路の吹出風を混合させるチャンバーボックスを設けてなる請求項１記載の除湿機。
【請求項３】
室内空気を本体内に取り入れる吸込口は、除湿風路の除湿吸込口および送風風路の送風吸込口からなり、前記除湿吸込口は本体の吹出口と同一方向に設け、前記送風吸込口は前記吹出口と反対方向に設けた請求項１または２記載の除湿機。
【請求項４】
除湿風路の除湿吸込口および送風風路の送風吸込口を本体の吹出口側に設け、この吹出口は前記送風風路の吐出側に風向変更板を設け、この風向変更板の吹出方向を本体の前方または後方に変更してなる請求項１または２記載の除湿機。
【請求項５】
送風風路は接続部の周囲を通過する構成とした請求項１〜４のいずれかに記載の除湿機。
【請求項６】
送風風路の吐出側に加熱ヒーターを設けた請求項１〜５のいずれかに記載の除湿機。
【請求項７】
発熱手段または加熱ヒーターを停止するとともに、第２送風手段と第３送風手段を同時に運転可能とする通風運転モードを設けた請求項１〜６のいずれかに記載の除湿機。
【請求項８】
本体の吸込口に設けた湿度センサーの検出湿度が大なるときは、第３送風手段の送風量を減少してなる請求項１記載の除湿機。
【請求項９】
本体内部に設けた空気中の水分を吸着する円板状の除湿ローターと、この除湿ローターを回転させる駆動手段と、前記除湿ローターから水分を放出させる発熱手段と、この発熱手段により前記除湿ローターから放出された高温高湿空気を結露させる熱交換器と、前記熱交換器内を通過した高温高湿空気を上記発熱手段に戻す接続部と、前記発熱手段、除湿ローター、熱交換器、接続部の順序に通過する空気を閉循環させる第１送風ファンによる閉循環風路と、吸込口から吸入した室内空気により前記熱交換器を冷却するとともに前記除湿ローターに水分を吸着させて吹出口から乾燥空気を送出する除湿風路と、前記熱交換器と前記除湿ローターを通らずに前記吸込口から吸引した室内空気を、前記吹出口を通して送出する送風風路と、この送風風路と前記除湿風路に挿入される１つの両吸込送風ファンを有し、この両吸込送風ファンは複数の第１ブレードと第２ブレードを円板の両面に付設した羽根車と、この羽根車を収納するケーシングを備え、このケーシング内部に前記送風風路と前記除湿風路を区分する隔壁を形成してなる除湿機。
【発明の詳細な説明】
【技術分野】
【０００１】
本発明は、吸湿剤を担持した除湿ローターで水分を吸湿し、吸湿した水分を凝縮水として回収する構成を有した、衣類などの乾燥を行う除湿機に関する。
【背景技術】
【０００２】
従来、この種の除湿機は、除湿ローターが吸湿した水分を加熱器で加熱して高温の再生空気に放出させ、この放出した水分を含む高湿の再生空気を凝縮器において冷却して凝縮水を回収し、水分を除去された再生空気を加熱器に戻して循環させるものが知られている（例えば、特許文献１参照）。
【０００３】
以下、その除湿機について図１０を参照しながら説明する。
【０００４】
本体１０１内部には空気中の水分を吸着する除湿ローター１０２と、前記除湿ローターを回転させる駆動モーター１０３と、前記除湿ローター１０２から水分を放出させる発熱ユニット１０４と、この発熱ユニット１０４により前記除湿ローター１０２から放出された高温高湿空気を結露させる熱交換器１０５と、前記熱交換器１０５内を通過した高温高湿空気を上記発熱ユニット１０４に戻す接続部１０６と、前記発熱ユニット１０４、除湿ローター１０２、熱交換器１０５、接続部１０６、第１送風ファン１０７の順序に通過する空気を閉循環させる閉循環風路Ａと、第２送風ファン１０８により熱交換器１０５を冷却するとともに除湿ローター１０２に水分を吸着させて吹出口から乾燥空気を送出する風路Ｂを形成している。閉循環風路Ａにおいて、熱交換器１０５内で結露を起こして生じた結露水を排水タンク１０９に貯えるようになっている。
【特許文献１】特開２００３−２３６３３０号公報（［００１９］、図１０）
【発明の開示】
【発明が解決しようとする課題】
【０００５】
このような除湿機では、衣類などを乾燥させる第２送風ファン１０８による吹出風は、熱交換器１０５を冷却するとともに除湿ローター１０２に水分を吸着させてから乾燥空気を送出するため、通風抵抗が大きく送風量が少なくなるという課題があり、衣類などを早く乾燥させるためには送風量を増やし、高温低湿の乾燥風を供給することが要求される。
【０００６】
本発明は、このような従来の課題を解決するものであり、送風量を増やすことによって、衣類などの乾燥効率を向上でき、省エネルギー化を図る除湿機を提供することを目的とする。
【課題を解決するための手段】
【０００７】
本発明の除湿機は上記した目的を達成するために、本体内部に設けた空気中の水分を吸着する円板状の除湿ローターと、この除湿ローターを回転させる駆動手段と、前記除湿ローターから水分を放出させる発熱手段と、この発熱手段により前記除湿ローターから放出された高温高湿空気を結露させる熱交換器と、前記熱交換器内を通過した高温高湿空気を上記発熱手段に戻す接続部と、前記発熱手段、除湿ローター、熱交換器、接続部の順序に通過する空気を閉循環させる第１送風ファンによる閉循環風路と、吸込口から吸入した室内空気により前記熱交換器を冷却するとともに前記除湿ローターに水分を吸着させて吹出口から乾燥空気を送出する第２送風ファンによる除湿風路と、前記吸込口から吸引した室内空気を、前記熱交換器と前記除湿ローターを通さずに、前記吹出口を通して送出する第３送風ファンによる送風風路を有したものである。
【０００８】
この手段により、除湿する第２送風ファンによる通風抵抗が大きい除湿風路に加え、第３送風ファンによる通風抵抗の少ない送風風路を設けることで、洗濯物へ供給する送風量を増やすことができる。
【０００９】
また、他の手段は、吹出口の直前に除湿風路の吹出風と送風風路の吹出風を混合させるチャンバーボックスを設けたものである。
【００１０】
この手段により、本体吹出口からの吹出風の温度と湿度を均一化することができる。
【００１１】
また、他の手段は、室内空気を本体内に取り入れる吸込口は、除湿風路の除湿吸込口および送風風路の送風吸込口からなり、前記除湿吸込口は本体の吹出口側に設け、前記送風吸込口は前記吹出口と反対側に設けたものである。
【００１２】
この手段により、室内の高湿空気を前面から吸気し、除湿風として吹出すことに加え、後面から室内に比べて窓側の比較的乾燥した空気を吸気し合流して送風することができる。
【００１３】
また、他の手段は、除湿風路の除湿吸込口および送風風路の送風吸込口を本体の吹出口側に設け、この吹出口は送風風路の吐出側に風向変更板を設け、この風向変更板は吹出方向を本体の前方または後方に変更するものである。
【００１４】
この手段により、室内側の湿度が高いときは、風向変更板を開放した窓に向けて高湿空気を室外に放出し、室内側の湿度が低いときは、風向変更板を室内に向けて低湿空気を洗濯物に供給することができる。
【００１５】
また、他の手段は、送風風路は接続部の周囲を通過する構成としたものである。
【００１６】
この手段により、送風通路が閉循環風路の接続部の周囲を冷却することにより、熱交換器以外で結露作用を促進して除湿能力を向上させ、さらに送風風路の吹出温度を上昇することができる。
【００１７】
また、他の手段は、送風風路の吐出側に加熱ヒーターを設けたものである。
【００１８】
この手段により、送風風路の吐出側から加熱ヒーターで昇温した暖かい空気を送風することにより、洗濯物に乾燥風を供給することができる。
【００１９】
また、他の手段は、発熱手段または加熱ヒーターを停止するとともに、第２送風手段と第３送風手段を同時に運転可能とする通風運転モードを設けたものである。
【００２０】
この手段により、室内空気が低湿の場合、発熱手段または加熱ヒーターの通電を停止して、消費電力を抑えた送風のみの運転で、洗濯物を乾燥させることができる。
【００２１】
また、他の手段は、本体の吸込口に設けた湿度センサーの検出湿度が大なるときは、第３送風手段の送風量を減少して運転するものである。
【００２２】
この手段により、室内空気が高湿の場合、送風風路の吹出量を減らし、除湿風主体の運転を行ない、室内空気が低湿の場合、送風風路の吹出量を増やし、送風主体の運転とすることができる。
【００２３】
また、他の手段は、本体内部に設けた空気中の水分を吸着する円板状の除湿ローターと、この除湿ローターを回転させる駆動手段と、前記除湿ローターから水分を放出させる発熱手段と、この発熱手段により前記除湿ローターから放出された高温高湿空気を結露させる熱交換器と、前記熱交換器内を通過した高温高湿空気を上記発熱手段に戻す接続部と、前記発熱手段、除湿ローター、熱交換器、接続部の順序に通過する空気を閉循環させる第１送風ファンによる閉循環風路と、吸込口から吸入した室内空気により前記熱交換器を冷却するとともに前記除湿ローターに水分を吸着させて吹出口から乾燥空気を送出する除湿風路と、前記熱交換器と前記除湿ローターを通らずに前記吸込口から吸引した室内空気を、前記吹出口を通して送出する送風風路と、この送風風路と前記除湿風路に挿入される１つの両吸込送風ファンを有し、この両吸込送風ファンは複数の第１ブレードと第２ブレードを円板の両面に付設した羽根車と、この羽根車を収納するケーシングを備え、このケーシング内部に前記送風風路と前記除湿風路を区分する隔壁を形成したものである。
【００２４】
この手段により、除湿風路と送風風路の２つの風路に送風する送風ファンを、２つブレードからなる羽根車を備えた両吸込送風ファンで構成することにより、省スペースで送風ファンと風路を構成できる。
【発明の効果】
【００２５】
本発明によれば、除湿する第２送風ファンによる通風抵抗が大きい除湿風路に加え、第３送風ファンによる通風抵抗の少ない送風風路を設けることで、洗濯物へ供給する送風量を増やすことができ、乾燥時間を大幅に削減できる。
【００２６】
また、本体吹出口からの吹出風の温度と湿度を均一化することができ、吹出口に面した洗濯物の乾燥むらを少なくすることができる。
【００２７】
また、室内に比べて窓側の比較的乾燥した空気を吸い込み、合流して吹き出すことにより、乾燥風の送風量が向上でき、洗濯物の乾燥効率を高めることができる。
【００２８】
また、室内側の湿度が高いときは、風向変更板を開放した窓に向けて高湿空気を室外に放出し、室内側の湿度が低いときは、風向変更板を室内に向けて低湿空気を洗濯物に供給することができるので、室内湿度の高低に合わせた運転が可能となり、洗濯物の乾燥効率を向上することができる。
【００２９】
また、送風通路が閉循環風路の接続部の周囲を冷却して除湿能力が向上するとともに、送風風路の吹出温度もやや上昇するので、洗濯物の乾燥効率を向上させることができる。
【００３０】
また、室温が低いときは、送風風路の吐出口より昇温した暖かい空気を送風することにより、洗濯物を速く乾燥することができる。
【００３１】
また、室内空気が低湿の場合、発熱手段または加熱ヒーターの通電を停止して、消費電力を抑えた送風のみの運転で、洗濯物を乾燥する省エネ運転が実現できる。
【００３２】
また、室内空気が高湿の場合、送風風路の吹出量を減らし、除湿風主体で洗濯物を乾燥させ、室内空気が低湿の場合、送風風路の吹出量を増やし、送風主体で洗濯物を乾燥させることができるという省エネ運転ができる。
【００３３】
また除湿風路と送風風路に送風する送風ファンの部品構成を簡略化でき、部品点数削減により、コストダウンが図れ、省スペースの構造設計により本体形状を小型化できる。
【発明を実施するための最良の形態】
【００３４】
本発明の請求項１記載の発明は、本体内部に設けた空気中の水分を吸着する円板状の除湿ローターと、この除湿ローターを回転させる駆動手段と、前記除湿ローターから水分を放出させる発熱手段と、この発熱手段により前記除湿ローターから放出された高温高湿空気を結露させる熱交換器と、前記熱交換器内を通過した高温高湿空気を上記発熱手段に戻す接続部と、前記発熱手段、除湿ローター、熱交換器、接続部の順序に通過する空気を閉循環させる第１送風ファンによる閉循環風路と、吸込口から吸入した室内空気により前記熱交換器を冷却するとともに前記除湿ローターに水分を吸着させて吹出口から乾燥空気を送出する第２送風ファンによる除湿風路と、前記吸込口から吸引した室内空気を、前記熱交換器と前記除湿ローターを通さずに、前記吹出口を通して送出する第３送風ファンによる送風風路を有するものであり、除湿する第２送風ファンによる通風抵抗が大きい除湿風路に加え、第３送風ファンによる通風抵抗の少ない送風風路を設けることで、洗濯物へ供給する送風量を増やすことができる。
【００３５】
また、請求項２記載の発明は、本体の吹出口に除湿風路の吹出風と送風風路の吹出風を混合させるチャンバーボックスを設けたものであり、本体吹出口からの吹出風の温度と湿度を均一化することができる。
【００３６】
また、請求項３記載の発明は、室内空気を本体内に取り入れる吸込口は、除湿風路の除湿吸込口および送風風路の送風吸込口からなり、前記除湿吸込口は本体の吹出口側に設け、前記送風吸込口は前記吹出口と反対側に設けたものであり、室内の高湿空気を前面から吸気し、除湿風として吹出すことに加え、後面から室内に比べて窓側の比較的乾燥した空気を吸気し合流して送風することができる。
【００３７】
また、請求項４記載の発明は、除湿風路の除湿吸込口および送風風路の送風吸込口を本体の吹出口側に設け、この吹出口は送風風路の吐出側に、吹出方向を本体の前方または後方に変更する風向変更板を設けたものであり、室内側の湿度が高いときは、風向変更板を開放した窓に向けて高湿空気を室外に放出し、室内側の湿度が低いときは、風向変更板を室内にむけて低湿空気を洗濯物に供給することができる。
【００３８】
また、請求項５記載の発明は、送風風路は接続部の周囲を通過する構成としたものであり、送風通路が閉循環風路の接続部の周囲を冷却することにより、熱交換器以外で結露作用を促進して除湿能力を向上させ、さらに送風風路の吹出温度を上昇することができる。
【００３９】
また、請求項６記載の発明は、送風風路の吐出側に加熱ヒーターを設けたものであり、送風風路の吐出側から加熱ヒーターで昇温した暖かい空気を送風することにより、洗濯物に乾燥風を供給することができる。
【００４０】
また、請求項７記載の発明は、発熱手段または加熱ヒーターを停止するとともに、第２送風手段と第３送風手段を同時に運転可能とする通風運転モードを設けたものであり、室内空気が低湿の場合、発熱手段または加熱ヒーターの通電を停止して、消費電力を抑えた送風のみの運転で、洗濯物を乾燥させることができる。
【００４１】
また、請求項８記載の発明は、本体の吸込口に設けた湿度センサーの検出湿度が大なるときは、第３送風手段の送風量を減少させるものであり、室内空気が高湿の場合、送風風路の吹出量を減らし、除湿風主体の運転を行ない、室内空気が低湿の場合、送風風路の吹出量を増やし、送風主体の運転とすることができる。
【００４２】
また、請求項９記載の発明は、本体内部に設けた空気中の水分を吸着する円板状の除湿ローターと、この除湿ローターを回転させる駆動手段と、前記除湿ローターから水分を放出させる発熱手段と、この発熱手段により前記除湿ローターから放出された高温高湿空気を結露させる熱交換器と、前記熱交換器内を通過した高温高湿空気を上記発熱手段に戻す接続部と、前記発熱手段、除湿ローター、熱交換器、接続部の順序に通過する空気を閉循環させる第１送風ファンによる閉循環風路と、吸込口から吸入した室内空気により前記熱交換器を冷却するとともに前記除湿ローターに水分を吸着させて吹出口から乾燥空気を送出する除湿風路と、前記熱交換器と前記除湿ローターを通らずに前記吸込口から吸引した室内空気を、前記吹出口を通して送出する送風風路と、この送風風路と前記除湿風路に挿入される１つの両吸込送風ファンを有し、この両吸込送風ファンは複数の第１ブレードと第２ブレードを円板の両面に付設した羽根車と、この羽根車を収納するケーシングを備え、このケーシング内部に前記送風風路と前記除湿風路を区分する隔壁を形成することにより、本体内に省スペースで送風ファンと風路を構成できるという作用を有する。
【００４３】
以下、本発明の実施の形態について図面を参照しながら説明する。
【００４４】
（実施の形態１）
図１は、本発明の実施の形態１にかかる除湿機の概略構成と風の流れを示す概略断面図である。
【００４５】
図１に示すように、本体１内には、第２送風ファン８により本体１前面に設けた吸込口１３から吸入した室内空気を熱交換器５に通して冷却するとともに、円板状の除湿ローター２に通風して水分を吸着させ、除湿した乾燥風を吹出口１４から吹き出す除湿風路１１を設けている。また発熱ヒーター４、除湿ローター２、熱交換器５、接続部６の順序に通過する空気を閉循環させる第１送風ファン７による閉循環風路１０を設けている。さらに吸込口１３から吸引した室内空気を、除湿ローター２および熱交換器５に通さずに本体１内を通し、吹出口１４から本体１外に送出する第３送風ファン９による送風風路１２を設けている。
【００４６】
また、送風風路１２の第３送風ファン９の吹き出し側に、加熱ヒーター１７を設けることにより、室内空気を昇温させて温風として吹き出し可能な構成を有している。
【００４７】
閉循環風路１０に設けた発熱手段としての発熱ヒーター４は、除湿ローター２の水分を放出させるものであり、熱交換器５は除湿ローター２から放出された高温高湿空気を結露させて、結露水をタンク１５に回収する。接続部６は熱交換器５内を通過した高温高湿空気を発熱ヒーター４に戻すことにより閉循環風路１０が形成されている。
【００４８】
吹出口１４の上流側には除湿風路１１からの除湿された気流と、送風風路１２からの除湿されない気流を混合させるチャンバーボックス１６を設けている。
【００４９】
上記構成において、通常の除湿運転を行うときは、運転モードとして「除湿運転」を操作部（図示せず）で選択すると、除湿ローター２がステッピングモーター３に駆動されるとともに、除湿風路１１に設けた第２送風ファン８および閉循環風路１０に設けた第１送風ファン７と発熱ヒーター４に通電され、除湿ローター２の吸脱湿機能を利用した除湿運転が行なわれ、吹出口１４から除湿された乾燥風が吹き出される。
【００５０】
次に、運転モードとして「除湿送風運転」を選択すると、前述した除湿運転に加えて、送風風路１２に設けた第３送風ファン９に通電され、吸込口１３より吸引した室内空気をチャンバーボックス１６で除湿された乾燥風と混合して、吹出口１４から風量大なる混合風として洗濯物に供給される。
【００５１】
さらに、室内温度が低い場合や室内湿度の高い場合には、運転モードとして「除湿温風運転」を選択すると、「除湿送風運転」の運転条件に加えて、送風風路１２に設けた加熱ヒーター１７に通電され、吸込口１３より吸引した室内空気が加熱されて相対湿度の低い温風となり、吹出口１４から風量大なる乾燥した温風として吹き出され、洗濯物が乾きやすくなる。
【００５２】
また、室内温度が高い場合や室内湿度の低い場合には、運転モードとして節電型の「通風運転」を選択すると、「除湿送風運転」の運転条件に対して、除湿ローター２を回すステッピングモーター３と、閉循環風路１０に設けた第１送風ファン７と発熱ヒーター４の通電を停止して、第２送風ファン８と第３送風ファン９に通電され、吸込口１３より吸引した室内空気が、そのまま吹出口１４から大風量で吹き出され、乾燥状態または高温の室内空気を洗濯物に送風することができるので、消費電力を削減した乾燥を行なうことができる。
【００５３】
このように、「除湿送風運転」の場合は、通風抵抗の大きい除湿風路１１に加え、通風抵抗の小さい送風風路１２を備えることで、洗濯物へ供給する送風量を増やすことができ、洗濯物の乾燥時間を大幅に削減することができる。
【００５４】
また、「除湿温風運転」の場合は、送風風路１２の吹出風を昇温させる加熱ヒーター１７を設けることで、暖かい空気を送風することにより、乾燥効率を向上することができる。
【００５５】
さらに、室内空気が低湿または高温の場合は、「通風運転」を選択すると、発熱ヒーター４または加熱ヒーター１７の通電を停止させることで、消費電力を抑えた送風のみの運転で洗濯物を乾燥させることができ、省エネルギー化を図ることができる。
【００５６】
ここで、運転モードの違いによる衣類乾燥試験の概略結果を次に示す。試験場所は一戸建ての木造住宅の１０畳和室であり、試験条件は室内温度１８℃、室内湿度８５％である。試験方法は、図２に示すように、扉などを閉じた室内の中央付近に乾燥すべき衣類（２ｋｇの試験布）を吊り下げ、衣類の下方に本体１を配置して運転モードを切り換えた衣類乾燥運転により、水分を含む衣類の重量変化の推移から乾燥時間を比較するものである。
【００５７】
第１試験として運転モードを「除湿運転」に設定し、衣類乾燥時間を測定する。次に第２試験として室内環境が同条件のときに、運転モードを「除湿送風運転」に設定し、「除湿運転」の運転条件に加えて第３送風ファン９を運転することにより、吹出口１４からの送風量を約２倍としている。
【００５８】
試験結果は、図３に示すように、第１試験における衣類乾燥時間は１１３分、第２試験における衣類乾燥時間は８１分という試験結果となり、乾燥時間を約２８％短縮する効果が得られた。
【００５９】
（実施の形態２）
図４は本発明の実施の形態２にかかる除湿機の概略構成と風の流れを示す概略断面図である。
【００６０】
なお、実施の形態１と同一のものは同一記号を付し、詳細な説明は省略する。
【００６１】
図４および図５に示すように、本体１内部には、第２送風ファン８により吹出口１４と同方向に設けた除湿吸込口１９から室内空気を吸入し、熱交換器５を冷却させ除湿ローター２に水分を吸着させて吹出口１４から乾燥空気を送出する除湿風路１１を設けている。また、吹出口１４とは反対方向に設けた送風吸込口２０から吸引した室内空気を、吹出口１４から送風する第３送風ファン９による送風風路を設けている。
【００６２】
送風風路１２の第３送風ファン９の吹き出し側には、加熱手段としての加熱ヒーター１７を設けることにより、室内空気を昇温させて温風として吹き出し可能としており、吹出口１４で除湿吹出風と送風吹出風を混合させ混合風１８を送風する構成としている。
【００６３】
上記構成において、本体１の前面から吸引した室内の高湿空気を、除湿風路１１を通して乾燥風として吹出口１４から洗濯物に吹き出すことに加え、本体１の後面から吸引した室内に比べて窓側の比較的乾燥した空気を、送風通路１２を通して混合して吹出口１４から吹き出すことにより、室内側からのみ吸引する場合に比べて、乾燥度の高い乾燥風を大風量で洗濯物に吹き出すことができる。また、吹き出す空気を加熱ヒーター１７で昇温させ、暖かい空気を送風することにより洗濯物の乾燥効率を高めることができる。
【００６４】
（実施の形態３）
図６は、本発明の実施の形態３にかかる除湿機の概略構成と風の流れを示す概略断面図である。
【００６５】
なお、実施の形態１と同一のものは同一記号を付し、詳細な説明は省略する。
【００６６】
図６に示すように、本体１内部に設けた除湿風路１１は、第２送風ファン８により除湿吹出口２１と同方向に設けた吸込口１３から室内空気を吸入して、熱交換器５を冷却して熱交換させ、除湿ローター２に水分を吸着させて除湿吹出口２１から本体１外に乾燥空気を送出するものである。送風風路１２は第３送風ファン９により除湿風路１１と同一の吸込口１３より吸入した室内空気を、熱交換器５や除湿ローター２を通さずに、接続部６の周囲を通過させて冷却し、送風吹出口２２から本体１外に送出するものである。吸込口１３付近には、湿度センサー３０を設け、室内湿度を検出している。送風吹出口２２には、吹き出し方向を自在に変更できる風向変更板２３を設けた構成としている。
【００６７】
上記構成において、図７に示すように、湿度センサー３０で検出した室内空気の湿度が高いときは、風向変更板２３により吹出方向を開放した窓方向に向けることにより、高湿空気を室外に放出することができ、室内の高湿空気を排気しながら除湿を行うことができる。なお、このとき室内湿度が９０％以上となるような場合には、第３送風ファン９の送風量を増加することにより、室内の高湿空気を多く吸引して開放した窓からの排出量を増やすことにより、室内湿度を低減して衣類乾燥しやすい環境とすることができる。
【００６８】
また、図８に示すように室内空気の湿度が低いときは、風向変更板２３を室内に向けて低湿空気を洗濯物に供給することができるので、大風量の乾燥空気を効率よく洗濯物に吹き出すことができる。このように、室内湿度の高低に合わせた衣類乾燥運転が可能となり、洗濯物の乾燥効率を向上することができる。
【００６９】
また、図８に示すものが、室内側に吸込口１３と除湿吹出口２１，送風吹出口２２を固定して設けている場合には、湿度センサー３０で検出した室内湿度が高い場合は、運転モードを「除湿送風運転」に設定して、送風風路１２の第３送風ファン９の風量を少なくして、除湿風路１１による除湿風主体の乾燥運転を行ない、次ぎに湿度センサー３０の検出湿度が低くなると、第３送風ファン９の風量を増やして、送風風路１２からの送風主体の乾燥運転とすることができる。
【００７０】
（実施の形態４）
図９は、本発明の実施の形態４にかかる除湿機の概略構成と風の流れを示す概略断面図である。なお、実施の形態１と同一のものは同一記号を付し、詳細な説明は省略する。
【００７１】
図９に示すように、本体１内部に１つの両吸込送風ファンを有し、この両吸込送風ファンは複数の第１ブレード２４と第２ブレード２５を円板２６の両面に付設した羽根車と、この羽根車を収納するケーシング２７を備えている。吸込口１３から吸入した室内空気により前記熱交換器５を冷却するとともに前記除湿ローター２に水分を吸着させて吹出口１４から乾燥空気を送出する第１ブレード２４を介する除湿風路１１を設けている。また、吸込口１３から吸引した室内空気を、前記吹出口１４を通して送出する第２ブレード２５を介する送風風路１２を設けている。この送風風路１２と前記除湿風路１１に挿入されるこのケーシング２７内部に前記送風風路１２と前記除湿風路１１を区分する隔壁２８を設けた構成にしている。
【００７２】
上記構成において、除湿風路１１と送風風路１２の２つの風路を１つの両吸込送風ファンから構成することで部品構成を簡略化することができるため、本体内に省スペースで送風ファンと風路を構成できるとともに、製造コストを削減することができる。
【産業上の利用可能性】
【００７３】
以上のように本発明にかかる除湿機は、通風抵抗の少ない風路を設けることで、送風量を向上させ乾燥効率を高めるものであり、除湿機、乾燥機、衣類乾燥機、衣類乾燥洗濯機、浴室乾燥機、または空調機などにも適用できるものである。
【図面の簡単な説明】
【００７４】
【図１】本発明の実施の形態１の除湿機の概略断面図
【図２】同、除湿機の衣類乾燥試験の試験状態を示す説明図
【図３】同、衣類乾燥試験の試験結果を示す乾燥度のタイムチャート
【図４】同、実施の形態２の除湿機の概略断面図
【図５】同、衣類乾燥時の説明図
【図６】同、実施の形態３の除湿機の概略断面図
【図７】同、高湿時の吹出方向の説明図
【図８】同、低湿時の吹出方向の説明図
【図９】同、実施の形態４の除湿機の概略断面図
【図１０】従来の除湿機の概略構成図
【符号の説明】
【００７５】
１    本体
２    除湿ローター
３    ステッピングモーター
４    発熱ヒーター
５    熱交換器
６    接続部
７    第１送風ファン
８    第２送風ファン
９    第３送風ファン
１０  閉循環風路
１１  除湿風路
１２  送風風路
１３  吸込口
１４  吹出口
１５  タンク
１６  チャンバーボックス
１７  加熱ヒーター
１８  混合風
１９  除湿吸込口
２０  送風吸込口
２１  除湿吹出口
２２  送風吹出口
２３  風向変更板
２４  第１ブレード
２５  第２ブレード
２６  円板
２７  ケーシング
２８  隔壁
３０  湿度センサー
【図１】
2008259964.tif 000003
【図２】
2008259964.tif 000004
【図３】
2008259964.tif 000005
【図４】
2008259964.tif 000006
【図５】
2008259964.tif 000007
【図６】
2008259964.tif 000008
【図７】
2008259964.tif 000009
【図８】
2008259964.tif 000010
【図９】
2008259964.tif 000011
【図１０】
2008259964.tif 000012